(57)【特許請求の範囲】
【請求項１】
住戸に設けられ環境状態に合わせて使用される所定設備と、
住戸に設けられ環境状態を検出するセンサと、
前記所定設備が設置された住戸を情報提供の対象エリアに含み当該対象エリア内の環境状態の情報を提供する所定の情報源へ、インターネットを介して前記センサの検出結果を送信する送信手段と、
前記送信手段で送信された前記センサの検出結果を元情報として利用する前記所定の情報源からインターネットを通じて、前記所定設備が設置された住戸の環境状態の情報を取得する情報取得手段と、
前記情報取得手段で取得された環境状態の情報を利用して、前記所定設備を稼働制御する制御手段と
を備えることを特徴とする設備制御システム。
【請求項２】
前記センサは、少なくとも降雨の検出を行う気象センサであり、
前記所定設備は電動雨戸または電動軒であり、
前記情報取得手段は、前記インターネットを通じて前記所定の情報源から、前記環境状態の情報として天候状態の情報を取得し、
前記制御手段は、前記気象センサの検出結果および前記情報取得手段で取得された天候状態の情報を利用して、前記所定設備を稼働制御する
ことを特徴とする請求項１記載の設備制御システム。
【請求項３】
前記センサは、少なくとも降雨の検出を行う気象センサであり、
前記所定設備は植木に水をあげるためのスプリンクラーであり、
前記情報取得手段は、前記インターネットを通じて前記所定の情報源から、前記環境状態の情報として天候状態の情報を取得し、
前記制御手段は、前記スプリンクラーを稼働させるとき、前記気象センサの検出結果および前記情報取得手段で取得された天候状態の情報を利用して、雨が降りそうにないか否かの判定を行い、雨が降りそうにない判定結果が得られれば、前記スプリンクラーを稼働させる
ことを特徴とする請求項１記載の設備制御システム。
【請求項４】
前記センサは、住戸内外に設けられて少なくとも空気の清浄度合いの検出を行うための所定センサであり、
前記所定設備は換気扇であり、
前記情報取得手段は、前記インターネットを通じて前記所定の情報源から、前記環境状態の情報として少なくとも大気状態の情報を取得し、
前記制御手段は、前記所定センサの検出結果および前記情報取得手段で取得された大気状態の情報を利用して、換気扇を稼働するか否かの判定を行い、この判定結果に応じて前記換気扇の稼働制御を行う
ことを特徴とする請求項１記載の設備制御システム。
【発明の詳細な説明】
【０００１】
【発明の属する技術分野】
本発明は、住戸に設けられ環境状態に合わせて使用される所定設備を制御する設備制御システムに関するものである。
【０００２】
【従来の技術】
従来、各住戸では、必要に応じて、植木の水やり、換気扇の駆動および雨戸の開閉などが行われている。
【０００３】
【発明が解決しようとする課題】
しかしながら、植木の水やりなどは日常的に行われることが多いために、水やりを終えた後に雨が降る場合があり、この場合、労力、資源および時間が無駄になってしまうという問題があった。
【０００４】
また、大気中に含まれるＮＯｘおよび花粉などの量は時期および時間帯などで変化するなか、日常生活において換気扇を回す的確な判断を下すことは非常に煩わしくまた困難なことであった。さらに、天候も時々刻々と変化するから、雨戸の開閉または電動軒の伸縮についても上記と同様であった。
【０００５】
本発明は、上記事情に鑑みてなされたものであり、天候の状態および大気の状態などの住戸の環境状態に適切に合わせて所定設備を稼働させることができる設備制御システムを提供することを目的とする。
【０００６】
【課題を解決するための手段】
上記課題を解決するための請求項１記載の発明の設備制御システムは、住戸に設けられ環境状態に合わせて使用される所定設備と、住戸に設けられ環境状態を検出するセンサと、前記所定設備が設置された住戸を情報提供の対象エリアに含み当該対象エリア内の環境状態の情報を提供する所定の情報源へ、インターネットを介して前記センサの検出結果を送信する送信手段と、前記送信手段で送信された前記センサの検出結果を元情報として利用する前記所定の情報源からインターネットを通じて、前記所定設備が設置された住戸の環境状態の情報を取得する情報取得手段と、前記情報取得手段で取得された環境状態の情報を利用して、前記所定設備を稼働制御する制御手段とを備えることを特徴とする。
【０００７】
請求項２記載の発明は、請求項１記載の設備制御システムにおいて、前記センサは、少なくとも降雨の検出を行う気象センサであり、前記所定設備は電動雨戸または電動軒であり、前記情報取得手段は、前記インターネットを通じて前記所定の情報源から、前記環境状態の情報として天候状態の情報を取得し、前記制御手段は、前記気象センサの検出結果および前記情報取得手段で取得された天候状態の情報を利用して、前記所定設備を稼働制御することを特徴とする。
【０００８】
請求項３記載の発明は、請求項１記載の設備制御システムにおいて、前記センサは、少なくとも降雨の検出を行う気象センサであり、前記所定設備は植木に水をあげるためのスプリンクラーであり、前記情報取得手段は、前記インターネットを通じて前記所定の情報源から、前記環境状態の情報として天候状態の情報を取得し、前記制御手段は、前記スプリンクラーを稼働させるとき、前記気象センサの検出結果および前記情報取得手段で取得された天候状態の情報を利用して、雨が降りそうにないか否かの判定を行い、雨が降りそうにない判定結果が得られれば、前記スプリンクラーを稼働させることを特徴とする。
【０００９】
請求項４記載の発明は、請求項１記載の設備制御システムにおいて、前記センサは、住戸内外に設けられて少なくとも空気の清浄度合いの検出を行うための所定センサであり、前記所定設備は換気扇であり、前記情報取得手段は、前記インターネットを通じて前記所定の情報源から、前記環境状態の情報として少なくとも大気状態の情報を取得し、前記制御手段は、前記所定センサの検出結果および前記情報取得手段で取得された大気状態の情報を利用して、換気扇を稼働するか否かの判定を行い、この判定結果に応じて前記換気扇の稼働制御を行うことを特徴とする。
【００１０】
【発明の実施の形態】
図１は本発明に係る第１実施形態の設備制御システムの構成図であり、この図を用いて、以下に第１実施形態の説明を行う。
【００１１】
図１に示す設備制御システムは、大別すると、住戸に設けられ環境状態に合わせて使用される設備１１と、住戸外に設けられる気象センサ１２と、インターネットＩＮに接続される共用情報盤（Ｇ／Ｗ）１０とにより構成されている。
【００１２】
設備１１は、所定のケーブルＣ１を介して共用情報盤１０に接続される通信用の入出力部１１０と、この入出力部１１０を介して共用情報盤１０に通信可能に接続される電動雨戸１１１および電動軒１１２とにより構成されている。
【００１３】
電動雨戸１１１は、図略の雨戸を開閉するモータ１１１ａと、このモータ１１１ａの駆動制御を行うモータ制御部１１１ｂと、入出力部１１０を介した共用情報盤１０からの信号から当該電動雨戸１１１に対する制御信号を検出する制御信号検出部１１１ｃと、この制御信号検出部１１１ｃで検出された制御信号に従って、モータ制御部１１１ｂおよびモータ１１１ａを通じて上記雨戸の開閉制御を行うとともに、雨戸の開状態または閉状態を示す情報を入出力部１１０を介して共用情報盤１０に出力するＣＰＵ１１１ｄとを備えている。
【００１４】
電動軒１１２は、図略の軒を伸縮するモータ１１２ａと、このモータ１１２ａの駆動制御を行うモータ制御部１１２ｂと、入出力部１１０を介した共用情報盤１０からの信号から当該電動軒１１２に対する制御信号を検出する制御信号検出部１１２ｃと、この制御信号検出部１１２ｃで検出された制御信号に従って、モータ制御部１１２ｂおよびモータ１１２ａを通じて上記軒の伸縮制御を行うとともに、軒の伸状態または縮状態を示す情報を入出力部１１０を介して共用情報盤１０に出力するＣＰＵ１１２ｄとを備えている。
【００１５】
気象センサ１２は、雨量、湿度、気温、気圧、風力などの検出を一定時間毎に行う検出部１２１と、状態信号生成部１２２と、検出部１２１から検出結果が得られる毎に、状態信号生成部１２２を機能させ、これとともに上記検出結果を含む状態信号を生成して、ローカルネットワーク用のケーブルＣ２を介して共用情報盤１０に送信するＣＰＵ１２３とを備えている。
【００１６】
共用情報盤１０は、ローカルネットワークおよび外部ネットワーク（図１ではインターネットＩＮ）間に介設されてローカルネットワークおよび外部ネットワークの一方から送信されてくるデータを受信してその他方に送信するゲートウェイ機能としてのプロトコル変換部１０１と、ケーブルＣ１を介して設備１１の入出力部１１０と接続される通信用の入出力部１０２とを備えているほか、状態信号検出部１０３と、制御信号生成部１０４と、ＣＰＵ１０５とを備えている。
【００１７】
状態信号検出部１０３は、常時機能して、入出力部１０２を介して設備１１から雨戸の開閉状態を示す情報および軒の伸縮状態を示す情報を取り込むほか、ケーブルＣ２を介して気象センサ１２からの検出結果を含む状態信号を検出するとともに、プロトコル変換部１０１およびインターネットＩＮを介して、設備１１が設置された住戸を情報提供の対象エリアに含み、この対象エリア内の環境状態の情報、第１実施形態では天候状態の情報を提供する所定の情報源（図示せず）から、設備１１が設置された住戸を含む対象エリアについての最新の天候状態の情報を例えば所定時間毎に取得するものである。ここで、この状態信号検出部１０３により常に最新の天候状態の情報が取得されるのであるが、その天候状態の情報には、例えば、天気予報、現在の気温、湿度、風力、気圧などが含まれる。
【００１８】
ＣＰＵ１０５は、状態信号検出部１０３で得られた各種情報を取り込み、気象センサ１２の検出結果および最新の天候状態の情報が得られる毎に、これらの情報を総合的に利用して、雨が降る（降っている）か否かの判定処理を行う。
【００１９】
また、雨が降る（降っている）判定結果が得られると、雨戸の開閉状態を示す情報が開状態を示すものであれば、制御信号生成部１０４を機能させ、これとともに雨戸を閉状態にする制御信号を生成して、入出力部１０２を介して電動雨戸１１１に出力する一方、軒の伸縮状態を示す情報が縮状態を示すものであれば、制御信号生成部１０４を機能させ、これとともに軒を伸状態にする制御信号を生成して、入出力部１０２を介して電動軒１１２に出力する処理が行われる。
【００２０】
さらに、雨が降る（降っている）判定結果が得られた後、雨がやんだか否かの判定を行い、雨がやんだ判定結果が得られると、雨戸の開閉状態を示す情報が閉状態を示すものであれば、制御信号生成部１０４を機能させ、これとともに雨戸を開状態にする制御信号を生成して、入出力部１０２を介して電動雨戸１１１に出力する一方、軒の伸縮状態を示す情報が伸状態を示すものであれば、制御信号生成部１０４を機能させ、これとともに軒を縮状態にする制御信号を生成して、入出力部１０２を介して電動軒１１２に出力する処理が行われる。なお、時間帯をさらに考慮に入れて、夜間の就寝時間帯でなければ、雨戸を開状態にする制御信号を生成するようにしてもよい。
【００２１】
次に、第１実施形態の動作を説明する。状態信号検出部１０３において、気象センサ１２の検出結果が一定時間毎に入力されるとともに、雨戸の開閉状態および軒の伸縮状態を示す情報が適宜入力され、所定時間毎に最新の天候状態の情報が得られる。これらの情報はＣＰＵ１０５に取り込まれ、気象センサ１２の検出結果および最新の天候状態の情報から、雨が降る（降っている）か否かの判定が行われる。
【００２２】
雨が降る（降っている）判定結果が得られると、雨戸が開状態であれば、雨戸を閉状態にする制御信号が生成されて、電動雨戸１１１に出力される。これにより、ＣＰＵ１１１ｄにより雨戸の閉制御が行われ、モータ制御部１１１ｂおよびモータ１１１ａを通じて雨戸が閉められるとともに、雨戸の閉状態を示す情報が電動雨戸１１１から共用情報盤１０に送信される。また、軒が縮状態であれば、軒を伸状態にする制御信号が生成されて、電動軒１１２に出力される。これにより、ＣＰＵ１１２ｄにより軒の伸制御が行われ、モータ制御部１１２ｂおよびモータ１１２ａを通じて軒が伸ばされるとともに、軒の伸状態を示す情報が電動軒１１２から共用情報盤１０に送信される。
【００２３】
この後、雨がやんだか否かの判定が行われ、雨がやんだ判定結果が得られなければ、雨戸が閉状態であるので、現在の状態が維持され、また、軒が伸状態であるので、現在の状態が維持される。
【００２４】
この後、雨がやんだか否かの判定が行われ、雨がやんだ判定結果が得られると、雨戸が閉状態であるので、雨戸を開状態にする制御信号が生成されて、電動雨戸１１１に出力される。これにより、ＣＰＵ１１１ｄにより雨戸の開制御が行われ、モータ制御部１１１ｂおよびモータ１１１ａを通じて雨戸が開けられるとともに、雨戸の開状態を示す情報が電動雨戸１１１から共用情報盤１０に送信される。また、軒が伸状態であるので、軒を縮状態にする制御信号が生成されて、電動軒１１２に出力される。これにより、ＣＰＵ１１２ｄにより軒の縮制御が行われ、モータ制御部１１２ｂおよびモータ１１２ａを通じて軒が縮められるとともに、軒の縮状態を示す情報が電動軒１１２から共用情報盤１０に送信される。
【００２５】
以上に、第１実施形態によれば、例えば気象衛星などの高度な手段を用いて得られるより確からしい天候状態の情報およびよりローカルな気象センサ１２の検出結果に基づいて、電動雨戸１１１および電動軒１１２が稼働するようになるから、天候の状態に、より適切に合わせて電動雨戸１１１および電動軒１１２を稼働させることができる。
【００２６】
図２は本発明に係る第２実施形態の設備制御システムの構成図であり、この図を用いて、以下に第２実施形態の説明を行う。
【００２７】
図２に示す設備制御システムは、気象センサ１２を第１実施形態と同様に備えているほか、第１実施形態との相違点として、住戸に設けられ環境状態に合わせて使用される設備２１と、インターネットＩＮに接続される共用情報盤２０とを備えている。
【００２８】
設備２１は、入出力部１１０を第１実施形態の設備１１と同様に備えているほか、設備１１との相違点として、スプリンクラー２１１を備えている。このスプリンクラー２１１は、給電時のみに開状態になる開閉弁（図示せず）を通じて植木に水をあげるものであり、開閉弁への給電用の電源をオン／オフするスイッチ２１１ａと、このスイッチ２１１ａのオン／オフを制御して開閉弁への給電を制御する給電電源制御部２１１ｂと、入出力部１１０を介した共用情報盤２０からの信号から当該スプリンクラー２１１に対する制御信号を検出する制御信号検出部２１１ｃと、この制御信号検出部２１１ｃで検出された制御信号に従って、給電電源制御部２１１ｂおよびスイッチ２１１ａを通じて開閉弁の開閉制御を行うとともに、開閉弁の開状態または閉状態を示す情報を入出力部１１０を介して共用情報盤２０に出力するＣＰＵ２１１ｄとを備えている。ここで、第２実施形態では、スプリンクラー２１１は、開閉弁に給電を行ってそれを開状態にすると、その給電の開始時点から所定時間が経過した後に、開閉弁への給電を停止してそれを自動的に閉状態にするように構成される。
【００２９】
共用情報盤２０は、プロトコル変換部１０１と、入出力部１０２と、状態信号検出部１０３とを第１実施形態の共用情報盤１０と同様に備えているほか、共用情報盤１０との相違点として、制御信号生成部２０４と、ＣＰＵ２０５とを備えている。ただし、状態信号検出部１０３は、入出力部１０２を介して設備２１から開閉弁の開閉状態を示す情報を取り込む。
【００３０】
ＣＰＵ２０５は、状態信号検出部１０３で得られた各種情報を取り込むほか、例えば、予め定められた時刻にスプリンクラー２１１を稼働させるとき、気象センサ１２の検出結果および最新の天候状態の情報を総合的に利用して、現在時刻から所定時間後の時刻までに雨が降るか否かの判定を行うとともに、現在時刻を挟む所定期間中の雨量が一定量以上であるか否かの判定を行い、近々には雨が降らないであろうという予測判定結果が得られ、かつ所定期間中の雨量が一定量に満たない判定結果が得られれば、開閉弁の開閉状態を示す情報が開状態でない場合、制御信号生成部２０４を機能させ、これとともに開閉弁を所定時間開状態にする制御信号を生成して、入出力部１０２を介してスプリンクラー２１１に散水させる旨の指令信号を（制御信号生成部２０４に）出力させる処理を行う。
【００３１】
次に、第２実施形態の動作を説明する。状態信号検出部１０３において、気象センサ１２の検出結果が一定時間毎に入力されるとともに、開閉弁の開閉状態を示す情報が適宜入力され、所定時間毎に最新の天候状態の情報が得られる。これらの情報はＣＰＵ２０５に取り込まれる。
【００３２】
この後、予め定められた時刻になると、気象センサ１２の検出結果および最新の天候状態の情報から、現在時刻から所定時間後の時刻までに雨が降るか否かの判定が行われるとともに、所定期間中の雨量が一定量以上であるか否かの判定が行われる。そして、近々には雨が降らないであろうという予測判定結果と所定期間中の雨量が一定量に満たない判定結果とが得られれば、開閉弁の開閉状態を示す情報が開状態でない場合、開閉弁を開状態にする制御信号が生成されて共用情報盤２０からスプリンクラー２１１に出力される。これにより、ＣＰＵ２１１ｄにより開閉弁の開制御が行われ、給電電源制御部２１１ｂおよびスイッチ２１１ａを通じて開閉弁が開状態にされるとともに、開閉弁の開状態を示す情報がスプリンクラー２１１から共用情報盤２０に送信される。
【００３３】
この後、所定時間が経過すると、開閉弁への給電が自動的に停止して、開閉弁が閉状態になる。続いて、開閉弁の閉状態を示す情報がスプリンクラー２１１から共用情報盤２０に送信される。
【００３４】
以上、第２実施形態によれば、スプリンクラー２１１を稼働させるとき、例えば気象衛星などの高度な手段を用いて得られるより確からしい天候状態の情報およびよりローカルな気象センサ１２の検出結果に基づいて、スプリンクラー２１１が稼働するようになるから、天候の状態に、より適切に合わせてスプリンクラー２１１を稼働させることができ、資源を無駄に消費することを防止することができる。
【００３５】
なお、第２実施形態では、共用情報盤は、予め定められた時刻になると、スプリンクラーを稼働させるか否かの判断を行う構成になっているが、この構成に限らず、ある期間中に一定量以上の雨量を検出しなかった場合に、その時刻から所定時間後の時刻までに雨が降るか否かの判定を行い、雨が降らない予測判定結果が得られれば、開閉弁の開閉状態を示す情報が開状態でない場合、開閉弁を開状態にする制御信号を生成して出力する構成でもよい。
【００３６】
図３は本発明に係る第３実施形態の設備制御システムの構成図であり、この図を用いて、以下に第３実施形態の説明を行う。
【００３７】
図３に示す設備制御システムは、気象センサ１２を第１実施形態と同様に備えているほか、第１実施形態との相違点として、住戸に設けられ環境状態に合わせて使用される設備３１と、住戸内外に設けられ、空気の清浄度合いの検出を行うための大気汚染センサ１３および室内センサ１４と、インターネットＩＮに接続される共用情報盤３０とを備えている。
【００３８】
設備３１は、入出力部１１０を第１実施形態の設備１１と同様に備えているほか、設備１１との相違点として、換気扇３１１を備えている。この換気扇３１１は、図示しない換気扇モータへの給電用の電源をオン／オフするスイッチ３１１ａと、このスイッチ３１１ａのオン／オフを制御して換気扇モータへの給電を制御する給電電源制御部３１１ｂと、入出力部１１０を介した共用情報盤３０からの信号から当該換気扇３１１に対する制御信号を検出する制御信号検出部３１１ｃと、この制御信号検出部３１１ｃで検出された制御信号に従って、給電電源制御部３１１ｂおよびスイッチ３１１ａを通じて換気扇モータの駆動制御を行うとともに、換気扇モータの駆動状態または駆動停止状態を示す情報を入出力部１１０を介して共用情報盤３０に出力するＣＰＵ３１１ｄとを備えている。
【００３９】
大気汚染センサ１３は、臭度、花粉量、大気の汚染度合いなどの検出を一定時間毎に行う検出部１３１と、状態信号生成部１３２と、検出部１３１から検出結果が得られる毎に、状態信号生成部１３２を機能させ、これとともに上記検出結果を含む状態信号を生成して、ローカルネットワーク用のケーブルＣ２を介して共用情報盤３０に送信するＣＰＵ１３３とを備えている。
【００４０】
室内センサ１４は、室温、湿度、臭度、花粉量、空気の汚染度合いなどの検出を一定時間毎に行う検出部１４１と、状態信号生成部１４２と、検出部１４１から検出結果が得られる毎に、状態信号生成部１４２を機能させ、これとともに上記検出結果を含む状態信号を生成して、入出力部１１０を介して共用情報盤３０に送信するＣＰＵ１４３とを備えている。
【００４１】
共用情報盤３０は、プロトコル変換部１０１と、入出力部１０２とを第１実施形態の共用情報盤１０と同様に備えているほか、共用情報盤１０との相違点として、状態信号検出部３０３と、制御信号生成部３０４と、ＣＰＵ３０５とを備えている。
【００４２】
状態信号検出部３０３は、常時機能して、入出力部１０２を介して、設備３１からの換気扇モータの駆動／駆動停止状態を示す情報および室内センサ１４の検出結果を取り込むほか、ケーブルＣ２を介して、気象センサ１２からの検出結果を含む状態信号および大気汚染センサ１３からの検出結果を含む状態信号を検出するとともに、プロトコル変換部１０１およびインターネットＩＮを介して、設備３１が設置された住戸を情報提供の対象エリアに含み、この対象エリア内の環境状態の情報、第３実施形態では天候状態の情報および大気状態の情報を提供する所定の情報源（図示せず）から、設備３１が設置された住戸を含む対象エリアについての最新の環境状態の情報を例えば所定時間毎に取得するものである。ここで、この状態信号検出部３０３により常に最新の環境状態の情報が取得されるのであるが、そのうちの大気状態の情報には、例えば、大気汚染、花粉などに関する情報が含まれる。
【００４３】
ＣＰＵ３０５は、状態信号検出部３０３で得られた各種情報を取り込むほか、気象センサ１２の検出結果、大気汚染センサ１３の検出結果、室内センサ１４の検出結果および最新の環境状態の情報を解析し、例えば、住戸内外の大気または空気の状態から、種々の所定レベルを用いて、住戸内外の空気が所定レベル以上に汚染されているか否か、住戸外の空気中に所定レベル以上の花粉が漂っているか否か、あるいは住戸内外の空気中に所定レベル以上の所定の臭い成分が含有されているか否かなど、住戸内外の空気の清浄度合いの良否を判定し、この判定した結果に住戸外の気象状態および住戸内の室温などを加味して、換気扇３１１を駆動するか否かの判断を行うとともに、換気扇３１１を駆動する場合にはその駆動時間を決定する処理を行う。例えば、住戸内の空気の清浄度合いが良いという判定結果が得られた場合、換気扇３１１を駆動しない判断が行われる。一方、住戸内の空気の清浄度合いが悪いという判定結果が得られた場合、換気扇３１１を駆動する判断が行われ、住戸外の空気の清浄度合いもしくはこの良否の判定結果および住戸内外の温度差などに応じて、駆動時間が決定される。例えば、駆動時間は、住戸内外のどちらが高温か低温かにかかわらず、住戸内外の温度差が大きいほどより長めに設定される。また、同様に、換気扇の駆動時間は、住戸内の清浄度合いが住戸外の大気の汚れ（単位当たりの外気中の花粉やＮＯｘなどの粒子の検出量）に比較して程度が悪いほど、より長めに設定される。
【００４４】
また、換気扇３１１を駆動するとの判断を行い、その駆動時間を決定すると、換気扇モータの駆動／駆動停止状態を示す情報が駆動状態でない場合、制御信号生成部３０４を機能させ、これとともに換気扇３１１を駆動する制御信号を生成して、入出力部１０２を介して換気扇３１１に出力し、その制御信号の出力時点から上記駆動時間の経過後に、換気扇３１１の駆動を停止する制御信号を生成して、入出力部１０２を介して換気扇３１１に出力する処理が行われる。なお、換気扇モータの駆動／駆動停止状態を示す情報が駆動状態でない場合に、換気扇３１１を駆動するか否かの判断を行うとともに、換気扇３１１を駆動する場合にはその駆動時間を決定する処理が行われるようにしてもよい。
【００４５】
次に、第３実施形態の動作を説明する。状態信号検出部３０３において、気象センサ１２の検出結果、大気汚染センサ１３の検出結果および室内センサ１４の検出結果が一定時間毎に入力されるとともに、換気扇モータの駆動／駆動停止状態を示す情報が適宜入力され、所定時間毎に最新の環境状態の情報が得られる。これらの情報はＣＰＵ３０５に取り込まれる。
【００４６】
そして、気象センサ１２の検出結果、大気汚染センサ１３の検出結果、室内センサ１４の検出結果、および最新の環境状態の情報から、換気扇３１１を駆動するか否かの判断が行われ、換気扇３１１を駆動する場合にはその駆動時間が決定され、換気扇モータの駆動／駆動停止状態を示す情報が駆動状態でない場合、換気扇３１１を駆動する制御信号が生成されて、共用情報盤３０から換気扇３１１に出力される。これにより、ＣＰＵ３１１ｄにより換気扇モータの駆動制御が行われ、給電電源制御部３１１ｂおよびスイッチ３１１ａを通じて換気扇モータの駆動が行われるとともに、換気扇モータの駆動状態を示す情報が換気扇３１１から共用情報盤３０に送信される。
【００４７】
この後、駆動時間が経過すると、換気扇３１１の駆動を停止する制御信号が生成されて、共用情報盤３０から換気扇３１１に出力される。これにより、ＣＰＵ３１１ｄにより換気扇モータの駆動停止の制御が行われ、給電電源制御部３１１ｂおよびスイッチ３１１ａを通じて換気扇モータの駆動が停止されるとともに、換気扇モータの駆動停止の状態を示す情報が換気扇３１１から共用情報盤３０に送信される。
【００４８】
以上、第３実施形態によれば、高度な手段を用いて得られるより確からしい環境状態の情報と、よりローカルな、気象センサ１２、大気汚染センサ１３および室内センサ１４の検出結果とに基づいて、換気扇３１１が稼働するようになるから、環境状態（天候状態および大気状態）および住戸内外の空気の清浄度合いなどに、より適切に合わせて換気扇３１１を稼働させることができる。
【００４９】
なお、上記第１から第３の各実施形態では、気象センサ１２の検出結果は、設備制御システム内でのみ利用される構成になっているが、設備制御システム外で利用されるようにしてもよい。この例を図４に示す。図４において、プロトコル変換部１０１を含む共用情報盤４０は、気象センサ１２からの検出結果を、プロトコル変換部１０１からインターネットＩＮを介して、天気予報を行う機関または会社など（図４では符号１）に送信するように構成される。この構成では、状態信号検出部１ａで受けた気象センサ１２の検出結果を天気予報の元情報として利用することが可能となる。
【００５０】
【発明の効果】
以上のことから明らかなように、請求項１記載の発明によれば、住戸に設けられ環境状態に合わせて使用される所定設備と、住戸に設けられ環境状態を検出するセンサと、前記所定設備が設置された住戸を情報提供の対象エリアに含み当該対象エリア内の環境状態の情報を提供する所定の情報源へ、インターネットを介して前記センサの検出結果を送信する送信手段と、前記送信手段で送信された前記センサの検出結果を元情報として利用する前記所定の情報源からインターネットを通じて、前記所定設備が設置された住戸の環境状態の情報を取得する情報取得手段と、前記情報取得手段で取得された環境状態の情報を利用して、前記所定設備を稼働制御する制御手段とを備えるので、より確からしい住戸の環境状態の情報に基づいて所定設備が稼働制御されるようになるから、天候の状態および大気の状態などの住戸の環境状態に適切に合わせて所定設備を稼働させることができる。
【００５１】
請求項２記載の発明によれば、請求項１記載の設備制御システムにおいて、前記センサは、少なくとも降雨の検出を行う気象センサであり、前記所定設備は電動雨戸または電動軒であり、前記情報取得手段は、前記インターネットを通じて前記所定の情報源から、前記環境状態の情報として天候状態の情報を取得し、前記制御手段は、前記気象センサの検出結果および前記情報取得手段で取得された天候状態の情報を利用して、前記所定設備を稼働制御するので、例えば気象衛星などの高度な手段を用いて得られるより確からしい天候状態の情報、およびよりローカルな気象センサの検出結果に基づいて、電動雨戸または電動軒が稼働するようになるから、天候の状態に、より適切に合わせて電動雨戸または電動軒を稼働させることができる。
【００５２】
請求項３記載の発明によれば、請求項１記載の設備制御システムにおいて、前記センサは、少なくとも降雨の検出を行う気象センサであり、前記所定設備は植木に水をあげるためのスプリンクラーであり、前記情報取得手段は、前記インターネットを通じて前記所定の情報源から、前記環境状態の情報として天候状態の情報を取得し、前記制御手段は、前記スプリンクラーを稼働させるとき、前記気象センサの検出結果および前記情報取得手段で取得された天候状態の情報を利用して、雨が降りそうにないか否かの判定を行い、雨が降りそうにない判定結果が得られれば、前記スプリンクラーを稼働させるので、スプリンクラーを稼働させるとき、例えば気象衛星などの高度な手段を用いて得られるより確からしい天候状態の情報、およびよりローカルな気象センサの検出結果に基づいて、スプリンクラーが稼働するようになるから、天候の状態に、より適切に合わせてスプリンクラーを稼働させることができ、資源を無駄に消費することを防止することができる。
【００５３】
請求項４記載の発明は、請求項１記載の設備制御システムにおいて、前記センサは、住戸内外に設けられて少なくとも空気の清浄度合いの検出を行うための所定センサであり、前記所定設備は換気扇であり、前記情報取得手段は、前記インターネットを通じて前記所定の情報源から、前記環境状態の情報として少なくとも大気状態の情報を取得し、前記制御手段は、前記所定センサの検出結果および前記情報取得手段で取得された大気状態の情報を利用して、換気扇を稼働するか否かの判定を行い、この判定結果に応じて前記換気扇の稼働制御を行うので、高度な手段を用いて得られるより確からしい大気状態の情報、およびよりローカルな所定センサの検出結果に基づいて、換気扇が稼働するようになるから、大気状態および住戸内外の空気の清浄度合いに、より適切に合わせて換気扇を稼働させることができる。
【図面の簡単な説明】
【図１】本発明に係る第１実施形態の設備制御システムの構成図である。
【図２】本発明に係る第２実施形態の設備制御システムの構成図である。
【図３】本発明に係る第３実施形態の設備制御システムの構成図である。
【図４】本発明に係る他の実施形態の設備制御システムの構成図である。
【符号の説明】
１０  共用情報盤
１１  設備
１２  気象センサ
【図１】
0004292701.tif 000002
【図２】
0004292701.tif 000003
【図３】
0004292701.tif 000004
【図４】
0004292701.tif 000005